(57)【要約】【課題】多様なサービスやイベント（事案）に必要な物品（素材）をジャンルごとに検索し購入する物品のリストを極めて簡便に得ることができる購入支援システムを提供する。【解決手段】複数の事案と各々の事案を実現するための素材に関する事案素材データをメモリに記憶し、利用者が所望する事案素材データをネットワークを通じて送信し、その事案素材データに関する演算を利用者側で行うためのＵＩプログラムを備えるＡＳＰサーバと、利用者がすでに保有している素材に関する保有素材データをメモリに記憶し、所望の事案素材データを受信し、ＵＩプログラムをネットワークを通じてダウンロードして動作させ、所望の事案素材データと保有素材データとの比較から購入すべき素材に関する購入素材データを演算する記携帯情報機器とから成る購入支援システム。【選択図】      図１
2005092666.tif 000002
【特許請求の範囲】
【請求項１】
ネットワークを通じて接続可能なＡＳＰサーバと携帯情報機器とから成る購入支援システムであって、
前記ＡＳＰサーバは、複数の事案と各々の事案を実現するための素材に関する事案素材データをメモリに記憶し、前記所望の事案素材データに関する演算を利用者側で行うためのＵＩプログラムを備え、前記ネットワークを通じて利用者がナビゲーションにより前記複数の事案素材データの中から所望の事案素材データを決定し対応するＵＩプログラムとともに送信するための処理を行い、
前記携帯情報機器は、前記利用者がすでに保有している素材に関する保有素材データをメモリに記憶し、前記ナビゲーションにより所望の事案素材データを決定し対応するＵＩプログラムとともに受信するための処理を行い、前記受信したＵＩプログラムを動作させ、それを前記利用者が操作することによって前記所望の事案素材データと前記保有素材データとの比較から購入すべき素材に関する購入素材データを演算する、
ことを特徴とする購入支援システム。
【請求項２】
請求項１記載の購入支援システムにおいて、前記保有素材データは前記利用者のホームサーバに保存された保有素材データをネットワークを通じて前記携帯情報機器に取込んで得た保有素材データであることを特徴とする購入支援システム。
【請求項３】
請求項１記載の購入支援システムにおいて、前記保有素材データはそれが記憶されているメモリカードを前記携帯情報機器に装着して得た保有素材データであることを特徴とする購入支援システム。
【発明の詳細な説明】
【技術分野】
【０００１】
本発明は購入を支援するシステムの技術分野に属する。特に、事案を実現する上で必要な素材の中で保有していない素材だけを購入するための購入支援システムに関する。
【背景技術】
【０００２】
買い物をするときには前もってその目的に応じて必要とする物品（材料）を調べておく。またすでに保有している物品を調べておく。そして実際に買い物をするときには必要とする物品から保有している物品を除いた物品だけを購入する。このような買い物をするときの行動を支援するためのシステムについて提案がある。
【０００３】
たとえば、ネットワークの広域性や双方向性等の特性を活用するシステムの提案がある（特許文献１）。このシステムでは、利用者がテキストファイルその他の形式で作成した買い物メモをネットワークサーバに保存すると、店舗内情報端末、携帯情報端末、情報通信端末などからその買い物メモを参照することができるようにする。
【０００４】
またたとえば、サイトから料理のレシピが発信されていてそのレシピの材料を購入するときに購入し忘れやすでに持っている材料の重複した購入を防止するシステムの提案がある（特許文献２）。このシステムでは、利用者は携帯電話でインターネットサイトをアクセスし料理のレシピをダウンロードして携帯電話のメモリに記憶しさらにそのレシピをホームサーバに送信すると、ホームサーバが冷蔵庫のメモリに記憶されている既存の食材と送信されたレシピの食材とを比較して新たに購入すべき食材を決定し、携帯電話に送信しその表示部に表示する。
【特許文献１】特開２００２−３２６４９号公報。
【特許文献２】特開２００２−１３３０８９号公報。
【０００５】
しかしながら従来のシステムにおいては、利用者がテキストファイルその他の形式で作成した買い物メモをネットワークサーバに保存しておく必要がある（特許文献１）。また、新たに購入すべき物品の演算を行ために専用のプログラムをインストールしたホームサーバを用意しておく必要性がある（特許文献２）。
【発明の開示】
【発明が解決しようとする課題】
【０００６】
本発明の目的は、多様なサービスやイベント（事案）に必要な物品（素材）をジャンルごとに検索し購入する物品のリストを極めて簡便に得ることができる購入支援システムを提供することにある。ここで「簡便に」とは、買い物メモのデータをネットワークサーバに保存しておく必要がないことや、新たに購入すべき物品の演算を行ために専用のプログラムをインストールしたホームサーバを用意しておく必要もないことを含むものである。
【課題を解決するための手段】
【０００７】
本発明の請求項１に係る購入支援システムは、ネットワークを通じて接続可能なＡＳＰサーバと携帯情報機器とから成る購入支援システムであって、前記ＡＳＰサーバは、複数の事案と各々の事案を実現するための素材に関する事案素材データをメモリに記憶し、前記所望の事案素材データに関する演算を利用者側で行うためのＵＩプログラムを備え、前記ネットワークを通じて利用者がナビゲーションにより前記複数の事案素材データの中から所望の事案素材データを決定し対応するＵＩプログラムとともに送信するための処理を行い、前記携帯情報機器は、前記利用者がすでに保有している素材に関する保有素材データをメモリに記憶し、前記ナビゲーションにより所望の事案素材データを決定し対応するＵＩプログラムとともに受信するための処理を行い、前記受信したＵＩプログラムを動作させ、それを前記利用者が操作することによって前記所望の事案素材データと前記保有素材データとの比較から購入すべき素材に関する購入素材データを演算するようにしたものである。
【０００８】
また本発明の請求項２に係る購入支援システムは、請求項１に係る購入支援システムにおいて、前記保有素材データは前記利用者のホームサーバに保存された保有素材データをネットワークを通じて前記携帯情報機器に取込んで得た保有素材データであるようにしたものである。
【０００９】
また本発明の請求項３に係る購入支援システムは、請求項１に係る購入支援システムにおいて、前記保有素材データはそれが記憶されているメモリカードを前記携帯情報機器に装着して得た保有素材データであるようにしたものである。
【発明の効果】
【００１０】
本発明の請求項１に係る購入支援システムによれば、利用者はネットワークを通じてナビゲーションにより前記複数の事案素材データの中から所望の事案素材データを決定し、それに対応するＵＩプログラムとともにネットワークを通じて受信して動作させ、所望の事案素材データと保有素材データとの比較から購入すべき素材を演算することができる。したがって、多様なサービスやイベント（事案）に必要な物品（素材）をジャンルごとに検索し購入する物品のリストを極めて簡便に得ることができる購入支援システムが提供される。
【００１１】
また本発明の請求項２に係る購入支援システムによれば、保有素材データは利用者のホームサーバからネットワークを通じて携帯情報機器に取込まれる。したがって、最新情報への更新が容易なホームサーバに保存された保有素材データに基づいて購入素材データを演算することができる。
【００１２】
また本発明の請求項３に係る購入支援システムによれば、保有素材データは携帯情報機器に装着されたメモリカードに記憶されている。取扱い易く利便性の高いメモリカードの保有素材データに基づいて購入素材データを演算することができる。
【発明を実施するための最良の形態】
【００１３】
本発明の購入支援システムにおける構成の一例を図１に示す。図１において、１はＡＳＰサーバ、２は携帯情報機器、３はホームサーバ、４はメモリカード、１１はＵＩプログラム群（電子フォーム）、１２はナビゲーション機能、２１はＵＩプログラム（電子フォーム）、３１，４１は在庫情報、１００はネットワーク（インターネット）である。
【００１４】
ＡＳＰサーバ１の「ＡＳＰ」は「Application Service Provider」のことである。すなわち、アプリケーションプログラム（ソフトウェア）をネットワーク（インターネット）１００を通じて利用者に提供するサービスを行う事業者のことである。したがって、ＡＳＰサーバはその事業者がサービスのために保有するサーバのことである。利用者は、汎用ウェブブラウザ、専用ＵＩ（User Interface）プログラム等を使用して、ＡＳＰサーバにインストールされているアプリケーションプログラムを利用することができる。
【００１５】
ＡＳＰサーバ１は複数の事案と各々の事案を実現するための素材に関する事案素材データをメモリに記憶している。ここで事案とは利用者が要望する物品やサービスのことである。たとえば、事案には料理、ホビー、スポーツ、日曜大工・・・等のジャンルがあり、料理であれば、牛カレー、ショートケーキ、シャリアピンステーキ、・・・等の事案が存在する。ここで素材とは、事案が牛カレーであれば、牛肉、玉ねぎ、ニンジン、ジャガイモ、ニンニク、ターメリック、カイエンペッパー・・・等の牛カレーを料理するための食材のことである。
【００１６】
またＡＳＰサーバ１はＵＩプログラム群１１を備えている。ＵＩプログラム群１１は複数ある事案素材データの各々に対応する複数のＵＩプログラム２１の集合である。ＵＩプログラム２１は特定の事案素材データごとに、またはそのジャンル（料理、ホビー、・・・）ごとに異なったＵＩプログラム２１が存在する。そして、特定の事案素材データと対応するＵＩプログラム２１との組合せによって特定のデータ処理環境が利用者に提供される。
【００１７】
またＡＳＰサーバ１はナビゲーション機能（探索機能）１２を有している。このナビゲーション機能１２によって利用者はネットワーク１００を通じて事案素材データの中から所望の事案素材データを決定することができる。そしてＡＳＰサーバ１はその所望の事案素材データを対応するＵＩプログラム２１とともに利用者側へ送信するための処理を行う。ナビゲーション機能１２は、たとえば汎用のウェブブラウザをＧＵＩ（Graphical User Interface）として動作するアプリケーションプログラムによって実現される。
【００１８】
所望の事案素材データに対応するＵＩプログラムは、その事案素材データとともにＡＳＰサーバ１から利用者側の携帯情報機器２に送信される。そして、送信されたＵＩプログラムはその携帯情報機器２においてメモリにダウンロードされ動作する。ＵＩプログラムは、たとえば電子フォームの形態の画面を携帯情報機器２に表示し、利用者はその電子フォームにおいて入力操作や応答内容の確認を行う。
【００１９】
携帯情報機器２は携帯することができかつネットワーク１００に接続ができる情報処理機器、たとえば携帯電話、携帯情報端末（ＰＤＡ：Personal Digital Assistance）、ノートパソコン等のことである。
【００２０】
携帯情報機器２は利用者がすでに保有している素材に関する保有素材データをメモリに記憶している。また携帯情報機器２は利用者が前述のナビゲーションにより所望の事案素材データを決定し、その事案素材データを対応するＵＩプログラムとともにネットワーク１００を通じてＡＳＰサーバ１から受信するための処理を行う。
【００２１】
また携帯情報機器２はＡＳＰサーバ１から受信したＵＩプログラム２１をメモリにダウンロードし動作させる。また携帯情報機器２はそのＵＩプログラム２１を利用者が操作することによってＡＳＰサーバ１から受信した所望の事案素材データと保有素材データとの比較から購入すべき素材に関する購入素材データを演算する。
【００２２】
ホームサーバ３は利用者の家庭内に置かれているサーバであって、利用者がすでに保有している素材に関する保有素材データ３１をネットワーク１００を通じて携帯情報機器２に送信する。ホームサーバ３はパソコン、テレビ、冷蔵庫、洗濯機、等の家電製品と家庭内のＬＡＮ（Local Area Network）を通じて接続されている。ホームサーバ３は家電製品から情報を受信するとともに家電製品に対して情報を送信する。ここではホームサーバ３は冷蔵庫に貯蔵されている食材の情報を受信し保有素材データ３１としてメモリに記憶する。
【００２３】
メモリカード４は、コンパクトフラッシュ（Ｒ）、メモリスティック（Ｒ）、ＳＤメモリカード（Ｒ）、スマートメディア（Ｒ）等のメモリカード、あるいは携帯型のハードディスク、ＵＳＢフラッシュメモリ、等の携帯可能な記憶装置である。メモリカード４は携帯情報機器２に装着することができる。メモリカード４には保有素材データ４１が記憶されている。たとえば保有素材データ４１は、ホームサーバ３に記憶されている保有素材データ３１をメモリカード４にコピーしたものである。
【００２４】
以上、構成について説明した。次に本発明の購入支援システムにおける動作について、図２〜図５を参照して説明する。図２は購入支援システムにおける処理の過程を示すフロー図である。図３はナビゲーション機能１２が動作しているときに携帯情報機器２に表示される画面の一例（ジャンル選択画面）を示す図である。図４はナビゲーション機能１２が動作しているときに携帯情報機器２に表示される画面の別の一例（料理選択画面）を示す図である。図５はＵＩプログラム２１が動作しているときに携帯情報機器２に表示される画面の別の一例（各素材データ画面）を示す図である。
【００２５】
図２において、ステップＳ２，Ｓ４の処理はＡＳＰサーバ１において行われる。また、ステップＳ１，Ｓ３，Ｓ５，Ｓ６，Ｓ８の処理は携帯情報機器２において行われる。また、ステップＳ７の処理はホームサーバ３において行われる。
【００２６】
まず、図２のステップＳ１において、利用者は購入支援サービスを受けるため、携帯情報機器２からネットワーク１００を通じてＡＳＰサーバ１にアクセスする。
【００２７】
次に、ステップＳ２において、購入支援サービスの要求を受けたＡＳＰサーバ１はナビゲーション機能１２を起動する。
【００２８】
次に、ステップＳ３において、利用者はナビゲーション機能１２を利用してメニュー、すなわち事案を決定するための操作を行う。図３に一例を示すように、携帯情報機器２に表示されたジャンル選択画面には、事案のジャンルとして「料理」、「アウトドア」、「防災用品」が表示されている。利用者はそのジャンルの内から所望のジャンルを選択入力する。その選択入力の操作は、たとえば、携帯情報機器２においてその選択ボタンによりジャンルを指定し、さらに決定ボタンを押すことによって行われる。利用者はこのジャンル選択画面において、たとえば「料理」を選択入力する。
【００２９】
この選択入力を行うと図４に一例を示すように、携帯情報機器２には料理選択画面が表示される。料理選択画面には料理メニューとして「メニューＡ」、「メニューＢ」、「メニューＣ」、・・・、が表示されている。具体的には、たとえば、メニューＡは牛カレー、メニューＢはショートケーキ、メニューＣはシャリアピンステーキ、といった具合である。利用者はその料理メニューの内から所望のメニューを選択入力する。利用者はこの料理選択画面において、所望する料理メニューとして「メニューＡ」を選択入力する。この「メニューＡ」が利用者が所望する事案である。
【００３０】
次に、ステップＳ４において、ＡＳＰサーバ１は、選択入力が行われたメニューＡ（事案）に関する事案素材データとともに、ＵＩプログラム群１１の中からメニューＡに対応するＵＩプログラム２１をともに送信する。携帯情報機器２はその事案素材データとＵＩプログラム２１を受信しメモリにダウンロードする。
【００３１】
次に、ステップＳ５において、このダウンロードが終了すると携帯情報機器２はそのＵＩプログラム２１を動作させる。ＵＩプログラム２１を動作させると在庫情報の取得先と何人分の料理を調理するかの情報を入力する要求メッセージの画面が携帯情報機器２のディスプレイに表示される。ここで利用者は在庫情報の取得先を入力する。取得先の記述方式としては、たとえば、インターネット上に存在する情報資源(文書や画像など)の場所を指し示す記述方式であるＵＲＬ（Uniform Resource Locator）を適用する。ここでは、取得先は図１に示すホームサーバ３における保有素材データ３１である。また利用者は何人分の料理を調理するかの情報を入力する。たとえば、デフォルト値を２人分とし、変更したいときにだけ利用者が増加ボタンまたは減少ボタンをクリックし数値を決定する。
【００３２】
この入力を終了するとＵＩプログラム２１はメニューＡに対応する電子フォームの形態で購入支援情報を記述した画面を生成し携帯情報機器２のディスプレイに表示する。図５に一例を示すように、その電子フォームには、料理メニューの名称の表示欄である「メニューＡ」欄が存在する。また何人分の料理を作るかを数値入力する表示欄である「ｎ」人分欄が存在する。また料理「メニューＡ」を得るために調理する食材に関して、食材１、食材２、食材３、・・・を行とし、必要数量、在庫数量、購入数量を列とする表形式の表示欄が存在する。また、その電子フォームには、在庫情報を問い合わせするときに指示入力するために検索ボタンが存在する。
【００３３】
その電子フォームにおいて、「メニューＡ」欄には選択入力した料理メニューの具体的名称が記載されている。また「ｎ」人分欄には入力した人数が記載されている。また、食材１、食材２、食材３、・・・の行名称欄にも具体的名称が記述されている。また、必要数量の列名称欄にも、食材１、食材２、食材３、・・・の各食材に対応する数量が記載されている。勿論、その数量は「ｎ」人分欄に記載されている人数分の数量である。なお、事案素材データには、一単位（一人分）の数量が記述されており、事案素材データから人数分の数量が演算される。
【００３４】
一方、在庫数量と購入数量の列名称欄については、食材１、食材２、食材３、・・・の各食材に対応する表示欄は空白であって数量は記載されていない。
【００３５】
次に、ステップＳ６において、利用者は携帯情報機器２を操作し、在庫情報取得のための起動ボタン、すなわち図５に一例を示す電子フォームにおける「検索ボタン」を押す。携帯情報機器２におけるＵＩプログラム２１は在庫情報についての問い合わせを行う。すなわち、前述の取得先にはホームサーバ３における保有素材データ３１が存在するが、その取得先に存在する保有素材データ３１の送信要求をホームサーバ３に対して行う。
【００３６】
次に、ステップＳ７において、送信要求を受けたホームサーバ３は保有素材データ３１の送信を携帯情報機器２に対して行う。
【００３７】
次に、ステップＳ８において、携帯情報機器２におけるＵＩプログラム２１は保有素材データ３１を受信する。ＵＩプログラム２１はその受信した保有素材データ３１と必要数量の列名称欄に記載された食材１、食材２、食材３、・・・の各食材の数量とを比較して購入素材データを演算する。そして、保有素材データ３１と演算した購入素材データに基づいて、在庫数量と購入数量の列名称欄について食材１、食材２、食材３、・・・の各食材に対応する表示欄に数量を記載する。
【図面の簡単な説明】
【００３８】
【図１】本発明の購入支援システムにおける構成の一例を示す図である。
【図２】購入支援システムにおける処理の過程を示すフロー図である。
【図３】ナビゲーション機能が動作しているときに携帯情報機器２に表示される画面の一例（ジャンル選択画面）を示す図である。
【図４】ナビゲーション機能が動作しているときに携帯情報機器２に表示される画面の別の一例（料理選択画面）を示す図である。
【図５】ＵＩプログラムが動作しているときに携帯情報機器２に表示される画面の別の一例（各素材データ画面）を示す図である。
【符号の説明】
【００３９】
１  ＡＳＰサーバ
２  携帯情報機器
３  ホームサーバ
４  メモリカード
１１  ＵＩプログラム群（電子フォーム）
１２  ナビゲーション機能
２１  ＵＩプログラム（電子フォーム）
３１，４１は在庫情報
１００  ネットワーク（インターネット）
【図１】
2005092666.tif 000003
【図２】
2005092666.tif 000004
【図３】
2005092666.tif 000005
【図４】
2005092666.tif 000006
【図５】
2005092666.tif 000007